(57)【特許請求の範囲】
【請求項１】
コンテンツ提供を行うコンテンツ提供サーバと、
前記コンテンツのデバイスに対する出力管理と、出力コンテンツの転送デバイス情報を利用したインセンティブ配分管理を実行する管理サーバと、
前記コンテンツの初期出力を行う情報提供デバイスであり、ユーザデバイスによる情報取得処理の可能な公共端末、またはネットワークを介した情報取得を可能とした情報開示を実行する情報提供デバイスと、
前記情報提供デバイスの出力コンテンツの取得またはデバイス間での転送を実行する複数のユーザデバイスを有し、
前記コンテンツの転送処理を実行するコンテンツ送信ユーザデバイスは、コンテンツ転送処理に際して、前記情報提供デバイスの識別子と、前記コンテンツ送信ユーザデバイスの識別子を併せて送信し、
前記コンテンツを受信するコンテンツ受信ユーザデバイスは、受信コンテンツと、
（ａ）前記情報提供デバイスのデバイス識別子、
（ｂ）前記コンテンツ送信ユーザデバイスのデバイス識別子、
少なくとも上記（ａ），（ｂ）の複数のデバイス識別子を含むデバイス間転送情報をメモリに格納し、前記コンテンツの閲覧に基づく商品購入に際して前記メモリに格納した前記複数のデバイス識別子を含むデバイス間転送情報を出力し、
前記管理サーバは、前記商品購入時にユーザデバイスから出力された、
（ａ）前記情報提供デバイス、
（ｂ）コンテンツ転送を実行した１以上のユーザデバイス、
少なくとも上記（ａ），（ｂ）の複数デバイスに対応する複数のデバイス識別子を含むデバイス間転送情報を利用して、該デバイス間転送情報に含まれるデバイス識別子に対応するデバイス管理者をインセンティブ配分対象者として選定する情報処理システム。
【請求項２】
前記コンテンツ送信ユーザデバイスは、前記コンテンツの転送処理に際して、前記情報提供デバイスの識別子と、コンテンツ送信ユーザデバイスの識別子と、前記情報提供デバイスからコンテンツ送信ユーザデバイス間のコンテンツ転送ルート上の全デバイスの識別子を併せて送信し、
前記コンテンツ受信ユーザデバイスは、前記情報提供デバイスからコンテンツ送信ユーザデバイス間のコンテンツ転送ルート上の全デバイスの識別子をメモリに格納し、前記コンテンツの閲覧に基づく商品購入に際して、前記メモリに格納したデバイス識別子を出力し、
前記管理サーバは、前記商品購入時にユーザデバイスから出力されたコンテンツ転送ルート上の全デバイスのデバイス識別子を利用して、該デバイス識別子に対応するデバイス管理者をインセンティブ配分対象者として選定する請求項１に記載の情報処理システム。
【請求項３】
前記コンテンツ受信ユーザデバイスは、前記コンテンツの閲覧に基づく商品購入に際して、前記メモリに格納したデバイス識別子を前記コンテンツ提供サーバに通知し、
前記管理サーバは、前記コンテンツ提供サーバに通知されたコンテンツ転送ルート上のデバイス識別子を利用して、該デバイス識別子に対応するデバイス管理者をインセンティブ配分対象者として選定する請求項１または２に記載の情報処理システム。
【請求項４】
前記コンテンツは、商品広告コンテンツであり、前記ユーザデバイスは、前記広告コンテンツの閲覧に基づく商品購入に際して、前記メモリに格納したデバイス識別子を前記コンテンツ提供サーバに通知する構成である請求項１または２に記載の情報処理システム。
【請求項５】
前記管理サーバまたは前記コンテンツ提供サーバは、前記インセンティブ配分対象者へのインセンティブの配分割合を動的に変更または設定し管理する構成である請求項１または２に記載の情報処理システム。
【請求項６】
コンテンツ提供サーバがコンテンツ提供を行うコンテンツ提供ステップと、
管理サーバが、前記コンテンツのデバイスに対する出力管理と、出力コンテンツの転送デバイス情報を利用したインセンティブ配分管理を実行する管理ステップと、
ユーザデバイスによる情報取得処理の可能な公共端末、またはネットワークを介した情報取得を可能とした情報開示を実行する情報提供デバイスが、前記コンテンツの初期出力を行う情報提供ステップと、
コンテンツ送信ユーザデバイスが、前記情報提供デバイスから出力されたコンテンツの転送処理を実行する際に、前記情報提供デバイスの識別子と、コンテンツ送信ユーザデバイスの識別子を併せて送信するステップと、
コンテンツ受信ユーザデバイスが、受信コンテンツと、
（ａ）前記情報提供デバイスのデバイス識別子、
（ｂ）前記コンテンツ送信ユーザデバイスのデバイス識別子、
少なくとも上記（ａ），（ｂ）の複数のデバイス識別子を含むデバイス間転送情報をメモリに格納し、前記コンテンツの閲覧に基づく商品購入に際して前記メモリに格納した前記複数のデバイス識別子を含むデバイス間転送情報を出力するステップと、
前記管理サーバが、前記商品購入時にユーザデバイスから出力された、
（ａ）前記情報提供デバイス、
（ｂ）コンテンツ転送を実行した１以上のユーザデバイス、
少なくとも上記（ａ），（ｂ）の複数デバイスに対応する複数のデバイス識別子を含むデバイス間転送情報を利用して、該デバイス間転送情報に含まれるデバイス識別子に対応するデバイス管理者をインセンティブ配分対象者として選定するステップと、
を有する情報処理方法。
【発明の詳細な説明】
【技術分野】
【０００１】
本発明は、情報処理システム、情報処理装置、および情報処理方法、並びにコンピュータ・プログラムに関する。さらに詳細には、デジタルサイネージなどのデバイスの提供する商品情報などのコンテンツについてのデバイス間転送を追跡し、追跡情報を利用したインセンティブ配分を行う情報処理システム、情報処理装置、および情報処理方法、並びにコンピュータ・プログラムに関する。
【背景技術】
【０００２】
近年、公共の場所やショップ（店）などに設置したディスプレイに広告情報などを表示してユーザに提供するシステムであるデジタルサイネージや、ポスターに近接通信可能なＩＣチップを備えさせてＩＣチップからユーザの有するＩＣカードに情報を出力する機能を持つシステムが利用されている。
【０００３】
例えば、ＩＣ回路とアンテナを備え非接触通信を可能としたＲＦＩＤ（ＲａｄｉｏＦｒｅｑｕｅｎｃｙ  ＩＤｅｎｔｉｆｉｃａｔｉｏｎ）をデジタルサイネージやスマートポスターに装着し、ユーザの有する非接触通信機能を持つＩＣカードをＲＦＩＤに近づける（かざす）ことで、ＲＦＩＤ内のメモリに記憶された情報、例えば商品情報などをユーザの有するＩＣカードに送信して、ＩＣカード内のメモリに蓄積するといったシステムである。
【０００４】
ＩＣカードに蓄積された情報を利用する場合、ユーザはリーダライタ（Ｒ／Ｗ）機能を持つＰＣにＩＣカードをタッチまたはかざしてＩＣカード内の蓄積情報をＰＣ側に出力し、ＰＣのディスプレイに蓄積情報を表示することが可能となる。このような情報提供システムについては例えば特許文献１（特開２００２−２６９５０８号公報）に記載されている。
【０００５】
さらに、近年の新しい広告手法としてアフィリエイト（Ａｆｆｉｌｉａｔｅ）と呼ばれる広告手法が利用されている。これは、例えばブログや情報提供ウェブ（Ｗｅｂ）サイトに、様々な商品の広告サイトや販売サイトへのリンクを設定し、ブログやウェブサイトの閲覧者がリンクされた商品の広告サイトや販売サイトを閲覧した場合に、リンクの設定されたブログや情報提供サイトの提供者に報酬を支払う広告手法である。多くの場合、商品の広告サイトや販売サイトの閲覧回数がカウントされそのカウント数に応じた報酬が支払われるといった設定となっている。
【０００６】
アフィリエイトは、インターネット上において提供されるブログやウェブ（Ｗｅｂ）サイトにおいて利用されているのが一般的であり、リンクされた商品広告や商品販売サイトのアクセス回数をカウントして報酬を算出する管理サーバの管理情報に基づいて報酬が算出される仕組みが構築されている。
【０００７】
しかしながら、この従来型のアフィリエイトは、商品広告や商品販売サイトに対するリンクを設定したブログやウェブサイトのリンクに対する直接的なアクセス数を監視するのみであり、例えば、あるユーザＡが自分のユーザデバイスに商品情報を取得して、その取得情報を他のユーザＢに提供した場合などには、ユーザＡに対する報酬は支払われるといった設定にはならない。例えば、ユーザＢが商品を購入した場合、ユーザＡは、ユーザＢの商品の購入処理に対する貢献をしているが、現行のアフィリエイトシステムでは、ユーザＡがユーザＢに商品情報を提供したことのトラッキングがなされていないという問題がある。
【特許文献１】特開２００２−２６９５０８号公報
【発明の開示】
【発明が解決しようとする課題】
【０００８】
本発明は、例えば上述した問題点に鑑みてなされたものであり、ユーザデバイス間の商品情報の転送処理についても追跡処理（トラッキング）を実行して、商品情報の転送者に対しても報酬やインセンティブの提供を可能とする情報処理システム、情報処理装置、および情報処理方法、並びにコンピュータ・プログラムを提供することを目的とする。
【課題を解決するための手段】
【０００９】
本発明の第１の側面は、
コンテンツの転送デバイス情報を利用したインセンティブ配分管理を実行する管理サーバとしての情報処理装置であり、
情報提供デバイスにおける出力コンテンツのデバイス間転送情報として、少なくとも前記情報提供デバイスと、コンテンツ転送を実行した１以上のユーザデバイスのデバイス識別子を受信する通信部と、
取得したデバイス識別子に対応するデバイス管理者をインセンティブ配分対象者として選定する処理を実行する制御部と、
を有する情報処理装置にある。
【００１０】
さらに、本発明の情報処理装置の一実施態様において、前記制御部は、前記情報提供デバイスと、前記コンテンツの閲覧に基づく商品購入を実行したユーザデバイスに対して前記コンテンツを送信したユーザデバイスのデバイス識別子に対応するデバイス管理者をインセンティブ配分対象者として選定する処理を実行する構成である。
【００１１】
さらに、本発明の情報処理装置の一実施態様において、前記制御部は、前記情報提供デバイスと、前記コンテンツの閲覧に基づく商品購入を実行したユーザデバイスに対して前記コンテンツを送信したユーザデバイスまでのコンテンツ転送ルート上にある全デバイスのデバイス識別子に対応するデバイス管理者をインセンティブ配分対象者として選定する処理を実行する構成である。
【００１２】
さらに、本発明の情報処理装置の一実施態様において、前記管理サーバは、前記インセンティブ配分対象者へのインセンティブの配分割合を動的に変更または設定し管理する構成である。
【００１３】
さらに、本発明の第２の側面は、
情報提供デバイスの出力コンテンツの取得またはデバイス間での転送を実行するユーザデバイスとしての情報処理装置であり、
前記情報提供デバイス、または他のユーザデバイスからコンテンツを受信するとともに、前記情報提供デバイスの識別子と、コンテンツ送信ユーザデバイスの識別子を受信する通信部と、
前記通信部の受信したデータを記憶する記憶部と、
前記記憶部に格納されたコンテンツの送信に際して、コンテンツとともに前記情報提供デバイスの識別子と自装置のデバイス識別子を送信データとして設定する制御部と、
を有する情報処理装置にある。
【００１４】
さらに、本発明の情報処理装置の一実施態様において、前記通信部は、前記コンテンツ受信に際して、前記情報提供デバイスから前記コンテンツ送信ユーザデバイスまでのコンテンツ転送ルート上にある全デバイスのデバイス識別子を受信し、前記制御部は、前記記憶部に格納されたコンテンツの送信に際して、コンテンツとともに前記情報提供デバイスから前記コンテンツ送信ユーザデバイスまでのコンテンツ転送ルート上にある全デバイスのデバイス識別子と自装置のデバイス識別子を送信データとして設定する構成である。
【００１５】
さらに、本発明の第３の側面は、
コンテンツ提供を行うコンテンツ提供サーバと、
前記コンテンツのデバイスに対する出力管理と、出力コンテンツの転送デバイス情報を利用したインセンティブ配分管理を実行する管理サーバと、
前記コンテンツの初期出力を行う情報提供デバイスと、
前記情報提供デバイスの出力コンテンツの取得またはデバイス間での転送を実行する複数のユーザデバイスを有し、
前記コンテンツの転送処理を実行するコンテンツ送信ユーザデバイスは、コンテンツ転送処理に際して、前記情報提供デバイスの識別子と、コンテンツ送信ユーザデバイスの識別子を併せて送信し、
前記コンテンツを受信するコンテンツ受信ユーザデバイスは、前記情報提供デバイスの識別子と、コンテンツ送信ユーザデバイスの識別子をメモリに格納し、前記コンテンツの閲覧に基づく商品購入に際して前記メモリに格納したデバイス識別子を出力し、
前記管理サーバは、前記商品購入時にユーザデバイスから出力されたデバイス識別子を利用して、該デバイス識別子に対応するデバイス管理者をインセンティブ配分対象者として選定する情報処理システムにある。
【００１６】
さらに、本発明の情報処理システムの一実施態様において、前記コンテンツ送信ユーザデバイスは、前記コンテンツの転送処理に際して、前記情報提供デバイスの識別子と、コンテンツ送信ユーザデバイスの識別子と、前記情報提供デバイスからコンテンツ送信ユーザデバイス間のコンテンツ転送ルート上の全デバイスの識別子を併せて送信し、前記コンテンツ受信ユーザデバイスは、前記情報提供デバイスからコンテンツ送信ユーザデバイス間のコンテンツ転送ルート上の全デバイスの識別子をメモリに格納し、前記コンテンツの閲覧に基づく商品購入に際して、前記メモリに格納したデバイス識別子を出力し、前記管理サーバは、前記商品購入時にユーザデバイスから出力されたコンテンツ転送ルート上の全デバイスのデバイス識別子を利用して、該デバイス識別子に対応するデバイス管理者をインセンティブ配分対象者として選定する。
【００１７】
さらに、本発明の情報処理システムの一実施態様において、前記コンテンツ受信ユーザデバイスは、前記コンテンツの閲覧に基づく商品購入に際して、前記メモリに格納したデバイス識別子を前記コンテンツ提供サーバに通知し、前記管理サーバは、前記コンテンツ提供サーバに通知されたコンテンツ転送ルート上のデバイス識別子を利用して、該デバイス識別子に対応するデバイス管理者をインセンティブ配分対象者として選定する。
【００１８】
さらに、本発明の情報処理システムの一実施態様において、前記コンテンツの初期出力を行う情報提供デバイスは、ユーザデバイスによる情報取得処理の可能な公共端末である。
【００１９】
さらに、本発明の情報処理システムの一実施態様において、前記コンテンツの初期出力を行う情報提供デバイスは、ネットワークを介した情報取得を可能とした情報開示を実行するデバイスである。
【００２０】
さらに、本発明の情報処理システムの一実施態様において、前記コンテンツは、商品広告コンテンツであり、前記ユーザデバイスは、前記広告コンテンツの閲覧に基づく商品購入に際して、前記メモリに格納したデバイス識別子を前記コンテンツ提供サーバに通知する構成である。
【００２１】
さらに、本発明の情報処理システムの一実施態様において、前記管理サーバまたは前記コンテンツ提供サーバは、前記インセンティブ配分対象者へのインセンティブの配分割合を動的に変更または設定し管理する構成である。
【００２２】
さらに、本発明の第４の側面は、
コンテンツ提供サーバがコンテンツ提供を行うコンテンツ提供ステップと、
管理サーバが、前記コンテンツのデバイスに対する出力管理と、出力コンテンツの転送デバイス情報を利用したインセンティブ配分管理を実行する管理ステップと、
情報提供デバイスが、前記コンテンツの初期出力を行う情報提供ステップと、
コンテンツ送信ユーザデバイスが、前記情報提供デバイスから出力されたコンテンツの転送処理を実行する際に、前記情報提供デバイスの識別子と、コンテンツ送信ユーザデバイスの識別子を併せて送信するステップと、
コンテンツ受信ユーザデバイスが、前記情報提供デバイスの識別子と、コンテンツ送信ユーザデバイスの識別子をメモリに格納し、前記コンテンツの閲覧に基づく商品購入に際して前記メモリに格納したデバイス識別子を出力するステップと、
前記管理サーバが、前記商品購入時にユーザデバイスから出力されたデバイス識別子を利用して、該デバイス識別子に対応するデバイス管理者をインセンティブ配分対象者として選定するステップと、
を有する情報処理方法にある。
【００２３】
さらに、本発明の情報処理方法の一実施態様において、前記コンテンツ送信ユーザデバイスは、前記コンテンツの転送処理に際して、前記情報提供デバイスの識別子と、コンテンツ送信ユーザデバイスの識別子と、前記情報提供デバイスからコンテンツ送信ユーザデバイス間のコンテンツ転送ルート上の全デバイスの識別子を併せて送信し、前記コンテンツ受信ユーザデバイスは、前記情報提供デバイスからコンテンツ送信ユーザデバイス間のコンテンツ転送ルート上の全デバイスの識別子をメモリに格納し、前記コンテンツの閲覧に基づく商品購入に際して、前記メモリに格納したデバイス識別子を出力し、前記管理サーバは、前記商品購入時にユーザデバイスから出力されたコンテンツ転送ルート上の全デバイスのデバイス識別子を利用して、該デバイス識別子に対応するデバイス管理者をインセンティブ配分対象者として選定する。
【００２４】
さらに、本発明の情報処理方法の一実施態様において、前記コンテンツ受信ユーザデバイスは、前記コンテンツの閲覧に基づく商品購入に際して、前記メモリに格納したデバイス識別子を前記コンテンツ提供サーバに通知し、前記管理サーバは、前記コンテンツ提供サーバに通知されたコンテンツ転送ルート上のデバイス識別子を利用して、該デバイス識別子に対応するデバイス管理者をインセンティブ配分対象者として選定する。
【００２５】
さらに、本発明の情報処理方法の一実施態様において、前記管理サーバまたは前記コンテンツ提供サーバは、前記インセンティブ配分対象者へのインセンティブの配分割合を動的に変更または設定し管理する。
【００２６】
さらに、本発明の第５の側面は、
コンテンツの転送デバイス情報を利用したインセンティブ配分管理を実行する管理サーバとしての情報処理装置において実行する情報処理方法であり、
通信部が、情報提供デバイスにおける出力コンテンツのデバイス間転送情報として、少なくとも前記情報提供デバイスと、コンテンツ転送を実行した１以上のユーザデバイスのデバイス識別子を受信する通信ステップと、
制御部が、前記通信ステップにおいて取得したデバイス識別子に対応するデバイス管理者をインセンティブ配分対象者として選定する処理を実行する制御ステップと、
を有する情報処理方法にある。
【００２７】
さらに、本発明の情報処理方法の一実施態様において、前記制御ステップは、前記情報提供デバイスと、前記コンテンツの閲覧に基づく商品購入を実行したユーザデバイスに対して前記コンテンツを送信したユーザデバイスのデバイス識別子に対応するデバイス管理者をインセンティブ配分対象者として選定する処理を実行するステップである。
【００２８】
さらに、本発明の情報処理方法の一実施態様において、前記制御ステップは、前記情報提供デバイスと、前記コンテンツの閲覧に基づく商品購入を実行したユーザデバイスに対して前記コンテンツを送信したユーザデバイスまでのコンテンツ転送ルート上にある全デバイスのデバイス識別子に対応するデバイス管理者をインセンティブ配分対象者として選定する処理を実行するステップである。
【００２９】
さらに、本発明の情報処理方法の一実施態様において、前記管理サーバは、前記インセンティブ配分対象者へのインセンティブの配分割合を動的に変更または設定し管理する。
【００３０】
さらに、本発明の第６の側面は、
情報提供デバイスの出力コンテンツの取得またはデバイス間での転送を実行するユーザデバイスとしての情報処理装置において実行する情報処理方法であり、
通信部が、前記情報提供デバイス、または他のユーザデバイスからコンテンツを受信するとともに、前記情報提供デバイスの識別子と、コンテンツ送信ユーザデバイスの識別子を受信する通信ステップと、
制御部が、前記通信ステップにおいて受信したデータを記憶部に格納するステップと、
前記制御部が、前記記憶部に格納されたコンテンツの送信に際して、コンテンツとともに前記情報提供デバイスの識別子と自装置のデバイス識別子を送信データとして設定する制御ステップと、
を有する情報処理方法にある。
【００３１】
さらに、本発明の情報処理方法の一実施態様において、前記通信ステップは、前記コンテンツ受信に際して、前記情報提供デバイスから前記コンテンツ送信ユーザデバイスまでのコンテンツ転送ルート上にある全デバイスのデバイス識別子を受信するステップであり、前記制御ステップは、前記記憶部に格納されたコンテンツの送信に際して、コンテンツとともに前記情報提供デバイスから前記コンテンツ送信ユーザデバイスまでのコンテンツ転送ルート上にある全デバイスのデバイス識別子と自装置のデバイス識別子を送信データとして設定するステップである。
【００３２】
さらに、本発明の第７の側面は、
コンテンツの転送デバイス情報を利用したインセンティブ配分管理を実行する管理サーバとしての情報処理装置において情報処理を実行させるコミンピュータ・プログラムであり、
通信部に、情報提供デバイスにおける出力コンテンツのデバイス間転送情報として、少なくとも前記情報提供デバイスと、コンテンツ転送を実行した１以上のユーザデバイスのデバイス識別子を受信させる通信ステップと、
制御部に、前記通信ステップにおいて取得したデバイス識別子に対応するデバイス管理者をインセンティブ配分対象者として選定する処理を実行させる制御ステップと、
を有するコンピュータ・プログラムにある。
【００３３】
さらに、本発明の第８の側面は、
情報提供デバイスの出力コンテンツの取得またはデバイス間での転送を実行するユーザデバイスとしての情報処理装置において情報処理を実行させるコンピュータ・プログラムであり、
通信部に、前記情報提供デバイス、または他のユーザデバイスからコンテンツを受信するとともに、前記情報提供デバイスの識別子と、コンテンツ送信ユーザデバイスの識別子を受信させる通信ステップと、
制御部に、前記通信ステップにおいて受信したデータを記憶部に格納させるステップと、
前記制御部に、前記記憶部に格納されたコンテンツの送信に際して、コンテンツとともに前記情報提供デバイスの識別子と自装置のデバイス識別子を送信データとして設定させる制御ステップと、
を有するコンピュータ・プログラムにある。
【００３４】
なお、本発明のコンピュータ・プログラムは、例えば、様々なプログラム・コードを実行可能な汎用コンピュータ・システムに対して、コンピュータ可読な形式で提供する記憶媒体、通信媒体によって提供可能なコンピュータ・プログラムである。このようなプログラムをコンピュータ可読な形式で提供することにより、コンピュータ・システム上でプログラムに応じた処理が実現される。
【００３５】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３６】
本発明の一実施例の構成によれば、複数のユーザデバイス間で転送された商品広告などのコンテンツを参照して商品の購入が行われたような場合、ユーザデバイス間のコンテンツ転送時に、コンテンツの転送を行ったユーザデバイスの識別子も併せて転送してユーザデバイスのメモリに格納する構成とし、管理サーバがこれらのデバイス識別子を取得して、取得デバイス識別子によって特定されるデバイス管理者やユーザにインセンティブを配分することを可能とした。
【発明を実施するための最良の形態】
【００３７】
以下、図面を参照しながら本発明の情報処理システム、情報処理装置、および情報処理方法、並びにコンピュータ・プログラムの詳細について説明する。
【００３８】
図１に本発明の情報処理システムの一構成例を示す。コンテンツ提供サーバ１１１は、ユーザの購入可能な商品に関する広告などの商品情報をコンテンツとして管理サーバ１１２に提供し、管理サーバ（Ａｆｆｉｌｉａｔｅ  Ｓｅｒｖｉｃｅ  Ｐｒｏｖｉｄｅｒ）１１２がこれらのコンテンツを情報提供デバイス１２２，１２３に提示する。
【００３９】
管理サーバ１１２は、広告管理を行うサーバである。具体的には、コンテンツ提供サーバの提供するコンテンツを情報提供デバイス１２２，１２３に提示する。さらにアフィリエイト型の広告手法に従ったインセンティブ（報酬）の配分、提供処理を行う。この処理については後述する。
【００４０】
なお、図には、コンテンツ提供サーバを１つ、管理サーバを１つ、情報提供デバイスを２つのみ示しているが、これらは代表的な各装置の関係を示すものであり、これらの各装置はネットワーク上に多数存在することが可能である。ユーザデバイスについても図にはユーザデバイスＡ，１４１、ユーザデバイスＢ，１４２、ユーザデバイスＣ１４３の３つのみを示しているが、この他にも多数のユーザデバイスが存在し得る。
【００４１】
情報提供デバイスとして利用可能な装置は様々なものがある。図に示す例において、情報提供デバイスＡ１２２は、公共の場所やショップ（店）などに設置したディスプレイに広告情報などを表示してユーザに提供するデジタルサイネージ、またはポスターに近接通信可能なＩＣチップを備えＩＣチップからユーザデバイスに情報を出力する機能を持つスマートポスターなどの装置である。情報提供デバイスＡ１２２は、例えばサイネージ管理者１２１によって提供情報の管理が行われる。
【００４２】
情報提供デバイスＡ１２２の具体的構成例としては、例えばＩＣ回路とアンテナを備え非接触通信を可能としたＲＦＩＤ（ＲａｄｉｏＦｒｅｑｕｅｎｃｙ  ＩＤｅｎｔｉｆｉｃａｔｉｏｎ）を装着した構成がある。ユーザの有する非接触通信機能を持つＩＣカードや携帯電話などのユーザデバイス１４１をＲＦＩＤに近づける（かざす）ことで、ＲＦＩＤ内のメモリに記憶された情報、例えば商品情報などがユーザデバイスＡ１４１に送信され、ユーザデバイスＡ１４１内のメモリに蓄積される。
【００４３】
一方、情報提供デバイスＢ１３２は、インターネットに接続されたＰＣなどのデバイスである。情報提供デバイスＢ１３２には、特定のウェブ／ブログ情報管理者１３１の管理の下で様々な情報が提示される。情報提供デバイスＢ１３２に提示された情報は、ネットワークを介してユーザデバイス１４１に表示して閲覧可能であり、また閲覧情報はユーザデバイスＡ１４１内のメモリに蓄積することができる。
【００４４】
情報提供デバイスＡ１２２、情報提供デバイスＢ１３２には、コンテンツ提供サーバ１１１の提供する商品広告などのコンテンツが管理サーバ１１２を介して提供され、サイネージ管理者１２１の提供情報や、ウェブ／ブログ情報管理者１３１の提供情報に併せて提示される。
【００４５】
ユーザデバイスＡ１４１は、情報提供デバイスＡ１２２、情報提供デバイスＢ１３２から、これらの情報提供デバイスに提示されたコンテンツ提供サーバ１１１の提供する商品広告などのコンテンツを取得してユーザデバイスＡ１４１内のメモリに蓄積する。本発明の構成においては、この情報取得の際に、ユーザデバイスＡ１４１に対して情報を提供した情報提供デバイスＡ１２２、情報提供デバイスＢ１３２は、それぞれのデバイス識別子（デバイスＩＤ）を広告情報であるコンテンツに併せてユーザデバイスＡ１４１に出力する。ユーザデバイスＡ１４１は、コンテンツ（広告情報）に併せて、情報を取得した情報提供デバイスＡ１２２、または情報提供デバイスＢ１３２のデバイス識別子（デバイスＩＤ）をメモリに格納する。
【００４６】
さらに、ユーザデバイスＡ１４１はメモリに蓄積されたコンテンツを他のユーザの所有するユーザデバイスＢ１４２に送信することが可能であり、ユーザデバイスＢ１４２はその送信コンテンツをユーザデバイスＢ１４２のメモリに蓄積する。このコンテンツ転送処理に際して、コンテンツ送信元のユーザデバイスＡ１４１は、先のコンテンツ取得時にメモリに格納したコンテンツ取得元の情報提供デバイスＡ１２２、または情報提供デバイスＢ１３２のデバイス識別子（ＩＤ）をコンテンツに併せて出力するとともに、さらに自身のＩＤ、すなわちユーザデバイスＡ１４１のデバイス識別子（デバイスＩＤ）も併せて出力する。
【００４７】
ユーザデバイスＢ１４２は、コンテンツの転送ルートが以下のルート、すなわち、
（１）情報提供デバイスＡ１２２→ユーザデバイスＡ１４１→ユーザデバイスＢ１４２
このルートでコンテンツを受信した場合は、ユーザデバイスＢ１４２のメモリに、
コンテンツと、情報提供デバイスＡ１２２のＩＤ、ユーザデバイスＡ１４１のＩＤ、これらの情報を格納する。
また、コンテンツの転送ルートが以下のルート、すなわち、
（２）情報提供デバイスＢ１３２→ユーザデバイスＡ１４１→ユーザデバイスＢ１４２
このルートでコンテンツを受信した場合は、ユーザデバイスＢ１４２のメモリに、
コンテンツと、情報提供デバイスＢ１３２のＩＤ、ユーザデバイスＡ１４１のＩＤ、これらの情報を格納する。
このように、ユーザデバイスＢ１４２は、コンテンツに併せて、コンテンツの取得経路に従ったデバイス識別子（デバイスＩＤ）をメモリに格納する。
【００４８】
ユーザデバイスＢ１４２はメモリに蓄積されたコンテンツを他のユーザの所有するユーザデバイスＣ１４３に送信することが可能であり、ユーザデバイスＣ１４３はその送信コンテンツをユーザデバイスＣ１４３のメモリに蓄積する。
【００４９】
ユーザデバイスＣ１４３は、コンテンツの転送ルートが以下のルート、すなわち、
（３）情報提供デバイスＡ１２２→ユーザデバイスＡ１４１→ユーザデバイスＢ１４２→ユーザデバイスＣ１４３
このルートでコンテンツを受信した場合は、ユーザデバイスＣ１４３のメモリに、
コンテンツと、情報提供デバイスＡ１２２のＩＤ、ユーザデバイスＡ１４１のＩＤ、ユーザデバイスＢ１４２のＩＤ、これらの情報を格納する。
また、コンテンツの転送ルートが以下のルート、すなわち、
（４）情報提供デバイスＢ１３２→ユーザデバイスＡ１４１→ユーザデバイスＢ１４２→ユーザデバイスＣ１４３
このルートでコンテンツを受信した場合は、ユーザデバイスＣ１４３のメモリに、
コンテンツと、情報提供デバイスＢ１３２のＩＤ、ユーザデバイスＡ１４１のＩＤ、ユーザデバイスＢ１４２のＩＤ、これらの情報を格納する。
このように、ユーザデバイスＣ１４３は、コンテンツに併せて、コンテンツの取得経路に従ったデバイス識別子（デバイスＩＤ）をメモリに格納する。
【００５０】
このように、ユーザデバイスＢ１４２の所有ユーザは、
（１）情報提供デバイスＡ１２２→ユーザデバイスＡ１４１→ユーザデバイスＢ１４２
（２）情報提供デバイスＢ１３２→ユーザデバイスＡ１４１→ユーザデバイスＢ１４２
上記（１）または（２）のルートで取得したコンテンツ（広告）を閲覧して、その広告に記載された商品が気に入ったとすると、コンテンツ提供サーバ１１１からの商品購入をすることができる。
【００５１】
同様に、ユーザデバイスＣ１４３の所有ユーザは、
（３）情報提供デバイスＡ１２２→ユーザデバイスＡ１４１→ユーザデバイスＢ１４２→ユーザデバイスＣ１４３
（４）情報提供デバイスＢ１３２→ユーザデバイスＡ１４１→ユーザデバイスＢ１４２→ユーザデバイスＣ１４３
上記（３）または（４）のルートで取得したコンテンツ（広告）を閲覧して、その広告に記載された商品が気に入ったとすると、コンテンツ提供サーバ１１１からの商品購入をすることができる。
【００５２】
商品購入に際して、例えばユーザデバイスＢ１４２は、ユーザデバイスＢ１４２のメモリに格納したコンテンツ情報の取得経路情報、すなわち、
（１）情報提供デバイスＡ１２２のＩＤと、ユーザデバイスＡ１４１のＩＤ、または、
（２）情報提供デバイスＢ１３２のＩＤと、ユーザデバイスＡ１４１のＩＤ、
上記（１）または（２）のコンテンツ取得経路情報をコンテンツ提供サーバ１１１に送信する。コンテンツ提供サーバ１１１は、このコンテンツ経路情報を管理サーバ１１２に提供する。
【００５３】
同様に、商品購入に際して、ユーザデバイスＣ１４３は、ユーザデバイスＣ１４３のメモリに格納したコンテンツ情報の取得経路情報、すなわち、
（３）情報提供デバイスＡ１２２のＩＤと、ユーザデバイスＡ１４１のＩＤと、ユーザデバイスＢ１４２のＩＤ、または、
（４）情報提供デバイスＢ１３２のＩＤと、ユーザデバイスＡ１４１のＩＤと、ユーザデバイスＢ１４２のＩＤ、
上記（３）または（４）のコンテンツ取得経路情報をコンテンツ提供サーバ１１１に送信する。コンテンツ提供サーバ１１１は、このコンテンツ経路情報を管理サーバ１１２に提供する。
【００５４】
管理サーバ１１２は、コンテンツ提供サーバ１１１から取得する経路情報に従って、コンテンツ経路にある装置の管理者やユーザに対して報酬などのインセンティブを提供する。すなわち、管理サーバ１１２は、商品購入時にユーザデバイスから出力されたデバイス識別子を利用して、該デバイス識別子に対応するデバイス管理者をインセンティブ配分対象者として選定する。
【００５５】
このように、本発明の構成では、コンテンツのオリジナルの出力装置（情報提供デバイスＡ１２２や情報提供デバイスＢ１３２）のみならず、コンテンツの転送を実行したコンテンツ経路上のユーザデバイス（ユーザデバイスＡ１４１やユーザデバイスＢ１４２など）も追跡して、このコンテンツ経路上にあるデバイスのユーザに対しても報酬などのインセンティブを提供することが可能となる。なお、報酬（インセンティブ）は、現金、ポイント、何らかの特典や優待情報、サービスコンテンツの提供など、様々な形態が可能である。
【００５６】
なおユーザデバイス間のコンテンツ転送処理に際して、コンテンツを受信するデバイスの受信するデバイス識別子（デバイスＩＤ）の形態としては、以下の２つの処理例がある。
（処理例１）コンテンツのオリジナル発信源のデバイス識別子（デバイスＩＤ）と、直接コンテンツを送信するコンテンツ送信元のデバイス識別子（デバイスＩＤ）の２つのデバイス識別子（デバイスＩＤ）のみをコンテンツと共に受信する。
（処理例２）コンテンツのオリジナル発信源のデバイス識別子（デバイスＩＤ）と、直接コンテンツを送信するコンテンツ送信元のデバイス識別子（デバイスＩＤ）に加え、オリジナル発信源〜コンテンツ送信元の経路に存在した全てのコンテンツ転送装置のデバイス識別子（デバイスＩＤ）をコンテンツと共に受信する。
上記処理例１，２のいずれかの設定とする。
【００５７】
図１に示すステップＳ１１〜Ｓ１６の処理シーケンスについて説明する。
ステップＳ１１ａ，Ｓ１１ｂは、情報提供デバイスＡ１２２、情報提供デバイスＢ１３２にコンテンツ、すなわち、コンテンツ提供サーバ１１１の提供するコンテンツ（商品広告など）を表示するステップである。この図に示す例では、情報提供デバイスＡ１２２や、情報提供デバイスＢ１３２はコンテンツ情報のオリジナル発信源となる。
【００５８】
次のステップＳ１２は、ユーザデバイスＡ〜Ｃ，１４１〜１４３によるコンテンツ情報の取得および転送処理である。このコンテンツ取得及び転送処理に際して、各ユーザデバイスはコンテンツのオリジナル発信源のデバイス識別子（デバイスＩＤ）と、少なくともコンテンツの送信元のデバイス識別子（デバイスＩＤ）をコンテンツと共に受信する。なお、オリジナル発信源のデバイス識別子（デバイスＩＤ）と、コンテンツの送信経路上の全てのデバイス識別子（デバイスＩＤ）を全て転送、受信する形態としてもよい。
【００５９】
ステップＳ１３は、コンテンツ（商品広告など）を受信したユーザデバイスＢ１４２、またはユーザデバイスＣ１４３がコンテンツ（商品広告など）に提示されたコンテンツ対応商品の購入を行うステップである。この商品購入処理に際して、ユーザデバイスＢ１４２やユーザデバイスＣ１４３は、コンテンツに併せて受信し、メモリに格納した装置情報、すなわち、以下の２つの処理例のいずれかに従ってメモリに格納したデバイス識別子（デバイスＩＤ）をコンテンツ提供サーバ１１１に送信する。
（処理例１）コンテンツのオリジナル発信源のデバイス識別子（デバイスＩＤ）と、直接コンテンツを送信するコンテンツ送信元のデバイス識別子（デバイスＩＤ）の２つのデバイス識別子（デバイスＩＤ）、
（処理例２）コンテンツのオリジナル発信源のデバイス識別子（デバイスＩＤ）と、直接コンテンツを送信するコンテンツ送信元のデバイス識別子（デバイスＩＤ）に加え、オリジナル発信源〜コンテンツ送信元の経路に存在した全てのコンテンツ転送装置のデバイス識別子（デバイスＩＤ）、
【００６０】
コンテンツ提供サーバ１１１は、ステップＳ１４において、コンテンツ購入を行ったユーザデバイスから取得したデバイス識別子（デバイスＩＤ）情報を管理サーバ１１２に伝え、さらにインセンティブ（報酬など）の配分を依頼する。
【００６１】
管理サーバ１１２は、コンテンツ提供サーバ１１１から受領したデバイス識別子（デバイスＩＤ）情報に基づいて、コンテンツ提供サーバの提供するインセンティブ（報酬など）をデバイス識別子（デバイスＩＤ）に対応付けられた装置の管理者やユーザに配分する。
【００６２】
なお、管理サーバ１１２は、デバイス識別子（デバイスＩＤ）と、デバイス識別子（デバイスＩＤ）に対応する管理者やユーザの対応情報を保持しており、対応情報に従ってデバイス識別子（デバイスＩＤ）に対応する管理者やユーザを特定して、特定した管理者やユーザにインセンティブ（報酬など）を提供する。
【００６３】
なお、デバイス識別子（デバイスＩＤ）と、デバイス識別子（デバイスＩＤ）に対応する管理者やユーザの対応情報はコンテンツ提供サーバ１１１が管理し、コンテンツ提供サーバ１１１が、ユーザデバイスから受信したデバイス識別子（デバイスＩＤ）に対応する管理者やユーザを特定して、特定した管理者やユーザ情報を管理サーバ１１２に通知して、管理サーバ１１２が通知情報に従って特定の管理者やユーザにインセンティブ（報酬など）を提供する構成としてもよい。
【００６４】
このように、本発明の処理では、コンテンツのオリジナルの出力装置のみならず、コンテンツの転送を実行したコンテンツ経路上のユーザデバイスも追跡し、コンテンツ転送経路上にあるデバイスのユーザに対しても報酬などのインセンティブを提供することが可能となる。
【００６５】
なお、管理サーバまたはコンテンツ提供サーバは、インセンティブ配分対象者へのインセンティブの配分割合を動的に変更または設定し管理する。
【００６６】
本発明のコンテンツ転送処理において、各装置間で送受信されるデータの例について、図２以下を参照して説明する。
【００６７】
図２〜図３に示す例は、図１における情報提供デバイスＡ１２２をコンテンツ（広告情報など）のオリジナル発信源として、その後、そのコンテンツをユーザデバイスＡ１４１、ユーザデバイスＢ１４２、ユーザデバイスＣ１４３の順に転送が行われた場合の転送データの例であり、各ユーザデバイスがコンテンツ転送ルートに存在するすべてのデバイス識別子（デバイスＩＤ）をコンテンツに併せて送受信する処理例である。
【００６８】
まず、図２に示すように、情報提供デバイスＡ１２２は、自装置のメモリにデータ２１１〜２１３を格納しており、これらのデータ２１１〜２１３をユーザデバイスＡに出力する。ユーザデバイスＡ１４１は、これらのデータ２１１〜２１３を情報提供デバイスＡ１２２から受信して、自装置のメモリにデータ２２１〜２２３として格納する。
【００６９】
情報提供デバイスＡ１２２がメモリに格納しているデータ２１１〜２１３は以下のデータである。
（１）情報オリジナル発信源を示す識別子＝情報提供デバイスＡ（スマートポスター）のＩＤ［ＩＤ−Ｐ］
（２）情報送信元を示す識別子＝なし
（３）商品広告などのコンテンツ情報
これらのデータ２１１〜２１３である。
【００７０】
情報提供デバイスＡ１２２は、ユーザデバイスＡ１４１に対して、図２に示すデータ２１１〜２１３を出力する。なお、このデータ送信に際しては、送信元のＩＤ［ＩＤ−Ｐ］も併せて送信される。
【００７１】
ユーザデバイスＡ１４１は、データ２１１〜２１３とデータ送信元ＩＤ［ＩＤ−Ｐ］を利用して、図２に示すデータ２２１〜２２３を自装置のメモリに格納する。すなわち、
（１）情報オリジナル発信源を示す識別子＝情報提供デバイスＡ（スマートポスター）のＩＤ［ＩＤ−Ｐ］
（２）情報送信元を示す識別子＝情報提供デバイスＡ（スマートポスター）のＩＤ［ＩＤ−Ｐ］
（３）商品広告などのコンテンツ情報
これらのデータ２２１〜２２３である。
【００７２】
次に、ユーザデバイスＡ１４１は、ユーザデバイスＢ１４２に対して、図２に示すデータ２２１〜２２３を出力する。なお、このデータ送信に際しては、送信元のＩＤ［ＩＤ−Ａ］も併せて送信される。
【００７３】
ユーザデバイスＢ１４２は、データ２２１〜２２３とデータ送信元ＩＤ［ＩＤ−Ａ］を利用して、図２に示すデータ２３１〜２３３を自装置のメモリに格納する。すなわち、
（１）情報オリジナル発信源を示す識別子＝情報提供デバイスＡ（スマートポスター）のＩＤ［ＩＤ−Ｐ］
（２）情報送信元を示す識別子＝ユーザデバイスＡのＩＤ［ＩＤ−Ａ］
（３）商品広告などのコンテンツ情報
これらのデータ２３１〜２３３である。
【００７４】
次に、図３に示すように、ユーザデバイスＢ１４２は、ユーザデバイスＣ１４３に対して、図３に示すデータ２３１〜２３３を出力する。なお、このデータ送信に際しては、送信元のＩＤ［ＩＤ−Ｂ］も併せて送信される。
【００７５】
ユーザデバイスＣ１４３は、データ２３１〜２３３とデータ送信元ＩＤ［ＩＤ−Ｂ］を利用して、図３に示すデータ２４１〜２４４を自装置のメモリに格納する。すなわち、
（１）情報オリジナル発信源を示す識別子＝情報提供デバイスＡ（スマートポスター）のＩＤ［ＩＤ−Ｐ］
（２）情報中継装置（デバイス）を示す識別子＝ユーザデバイスＡのＩＤ［ＩＤ−Ａ］
（３）情報送信元を示す識別子＝ユーザデバイスＢのＩＤ［ＩＤ−Ｂ］
（４）商品広告などのコンテンツ情報
これらのデータ２４１〜２４４である。
【００７６】
このように、各ユーザデバイスがコンテンツ転送ルートに存在するすべてのデバイス識別子（デバイスＩＤ）をコンテンツに併せて送受信する処理例では、コンテンツを受信する各デバイスは、コンテンツ転送ルートに存在するすべてのデバイス識別子（デバイスＩＤ）をメモリに格納することになる。コンテンツの購入を実行する際には、メモリに格納したデバイス識別子（デバイスＩＤ）をすべてコンテンツ購入サーバ１１１に通知する処理が行われ、さらにコンテンツ購入サーバ１１１から管理サーバ１１２に対してこれらのデバイス識別子（デバイスＩＤ）が通知され、管理サーバ１１２は、これらのデバイス識別子（デバイスＩＤ）を利用して、各デバイス識別子（デバイスＩＤ）の設定された装置に対応するユーザや管理者に対してインセンティブを配分する。
【００７７】
図２、図３を参照して説明した処理例は、各ユーザデバイスがコンテンツ転送ルートに存在するすべてのデバイス識別子（デバイスＩＤ）をコンテンツに併せて送受信する処理例であるが、前述したように、コンテンツのオリジナル発信源のデバイス識別子（デバイスＩＤ）と、直接コンテンツを送信するコンテンツ送信元のデバイス識別子（デバイスＩＤ）の２つのデバイス識別子（デバイスＩＤ）のみをコンテンツと共に転送する処理構成としてもよい。この処理例でも、情報提供デバイスＡ１４１〜ユーザデバイスＢ１４２までのデータ送受信とメモリに対するデータ格納処理は、図２を参照して説明した処理と同様の処理となる。しかし、ユーザデバイスＢ１４２〜ユーザデバイスＣ１４３巻のデータ転送およびメモリ格納データは、図３に示す処理とは異なる処理となる。
【００７８】
この場合の処理例について図４を参照して説明する。この処理例において、ユーザデバイスＢ１４２は、図４に示すデータ２３１〜２３３を自装置のメモリに格納している。これは、図２、図３を参照して説明したと同様のデータである。すなわち、
（１）情報オリジナル発信源を示す識別子＝情報提供デバイスＡ（スマートポスター）のＩＤ［ＩＤ−Ｐ］
（２）情報送信元を示す識別子＝ユーザデバイスＡのＩＤ［ＩＤ−Ａ］
（３）商品広告などのコンテンツ情報
これらのデータ２３１〜２３３である。
【００７９】
ユーザデバイスＢ１４２は、ユーザデバイスＣ１４３に対して、図４に示すデータ２３１〜２３３を出力する。なお、このデータ送信に際しては、送信元のＩＤ［ＩＤ−Ｂ］も併せて送信される。
【００８０】
ユーザデバイスＣ１４３は、データ２３１〜２３３とデータ送信元ＩＤ［ＩＤ−Ｂ］を利用して、図４に示すデータ２５１〜２５３を自装置のメモリに格納する。すなわち、
（１）情報オリジナル発信源を示す識別子＝情報提供デバイスＡ（スマートポスター）のＩＤ［ＩＤ−Ｐ］
（２）情報送信元を示す識別子＝ユーザデバイスＢのＩＤ［ＩＤ−Ｂ］
（３）商品広告などのコンテンツ情報
これらのデータ２５１〜２５３である。
本処理例では、図３を参照して説明した処理例と異なり、ユーザデバイスＣ１４３は、情報中継装置（デバイス）を示す識別子＝ユーザデバイスＡのＩＤ［ＩＤ−Ａ］については格納しない。
【００８１】
本処理例では、各ユーザデバイスは、コンテンツのオリジナル発信源のデバイス識別子（デバイスＩＤ）と、直接コンテンツを送信するコンテンツ送信元のデバイス識別子（デバイスＩＤ）の２つのデバイス識別子（デバイスＩＤ）のみをコンテンツに併せてメモリに格納する。コンテンツの購入を実行する際には、メモリに格納したデバイス識別子（デバイスＩＤ）、すなわち、コンテンツのオリジナル発信源のデバイス識別子（デバイスＩＤ）と、直接コンテンツを送信するコンテンツ送信元のデバイス識別子（デバイスＩＤ）をコンテンツ購入サーバ１１１に通知する処理が行われ、さらにコンテンツ購入サーバ１１１から管理サーバ１１２に対してこれらのデバイス識別子（デバイスＩＤ）が通知され、管理サーバ１１２は、これらのデバイス識別子（デバイスＩＤ）を利用して、各デバイス識別子（デバイスＩＤ）の設定された装置に対応するユーザや管理者に対してインセンティブを配分する。
【００８２】
このように本発明のコンテンツ転送処理においては、ユーザデバイス間でコンテンツ転送が繰り返し行われた場合でも、コンテンツのオリジナル発信源のみならず、コンテンツ転送を実行して、コンテンツ購入に貢献したユーザデバイスのオーナーに対してもインセンティブの提供が実行されることになり、多くのユーザに対してコンテンツ転送を積極的に行わせることが可能となり、広告効果の向上、商品購入の促進に貢献することが可能となる。
【００８３】
最後に、図５を参照して、図１を参照して説明した本発明のシステムを構成する各装置の装置構成例について説明する。図１に示すコンテンツ提供サーバ１１１、管理サーバ１１２、情報提供デバイス、ユーザデバイス、これらは、一般的なＰＣの構成によって実現可能である。ユーザデバイスは、携帯電話やＩＣカードなどによって構成することも可能である。
【００８４】
これらの各装置の基本的な構成は、例えば図５に示す情報処理装置２００の構成となる。すなわち、各種の処理プログラムを実行するＣＰＵ等を有する制御部２０１、ネットワーク介した通信、あるいは近接通信を実行する通信部２０２、ユーザによる操作情報の入力などを行う入力部２０３、ディスプレイなどによって構成される出力部２０４、送受信データの格納、処理プログラムなどの格納領域として利用される記憶部２０５である。
【００８５】
例えば、図５に示す情報処理装置２００が管理サーバ１１２である場合、通信部２０２は、コンテンツのデバイス間転送情報として、情報提供デバイス〜コンテンツ転送を実行した１以上のユーザデバイスのデバイス識別子を受信し、制御部２０１は、取得デバイス識別子に対応するデバイス管理者をインセンティブ配分対象者として選定する処理を実行する。
【００８６】
例えば制御部２０１は、情報提供デバイスと、コンテンツの閲覧に基づく商品購入を実行したユーザデバイスに対してコンテンツを送信したユーザデバイスのデバイス識別子に対応するデバイス管理者をインセンティブ配分対象者として選定する処理を実行する。あるいは、制御部２０１は、情報提供デバイスと、コンテンツの閲覧に基づく商品購入を実行したユーザデバイスに対してコンテンツを送信したユーザデバイスまでのコンテンツ転送ルート上にある全デバイスのデバイス識別子に対応するデバイス管理者をインセンティブ配分対象者として選定する処理を実行する。
【００８７】
また、例えば、図５に示す情報処理装置２００が、情報提供デバイスの出力コンテンツの取得またはデバイス間での転送を実行するユーザデバイスとしての情報処理装置である場合は、通信部２０２は、情報提供デバイス、または他のユーザデバイスからコンテンツを受信する際に、情報提供デバイスの識別子と、コンテンツ送信ユーザデバイスの識別子を受信する処理を行い、この受信データが記憶部２０５に記憶される。また、制御部２０１は、記憶部２０５に格納されたコンテンツの送信に際して、コンテンツとともに情報提供デバイスの識別子と自装置のデバイス識別子を送信データとして設定する処理などを実行する。
【００８８】
なお、通信部２０２がコンテンツ受信に際して情報提供デバイスからコンテンツ送信ユーザデバイスまでのコンテンツ転送ルート上にある全デバイスのデバイス識別子を受信し、制御部２０１が記憶部２０５に格納されたコンテンツの送信に際して、コンテンツとともに情報提供デバイスからコンテンツ送信ユーザデバイスまでのコンテンツ転送ルート上にある全デバイスのデバイス識別子と自装置のデバイス識別子を送信データとして設定する構成としてもよい。
【００８９】
なお、図５に示す装置構成例は、図１に示すコンテンツ管理サーバ１１１、管理サーバ１１２、情報提供デバイス、ユーザデバイスとして利用可能な装置の一例を示すものであり、この他の構成要素を持つ構成や、図５に示す構成要素の一部の構成を持たない構成としてもよい。例えばユーザデバイスとしてＩＣカードを利用する場合も可能であり、この場合には入力部を有することはない。
【００９０】
ユーザデバイスとしてＩＣカードを利用する場合は、ＩＣカードが情報提供デバイスから取得し、ＩＣカードのメモリに格納したデータをＲ／Ｗ機能を持つＰＣにおいて読み取らせて、他のデバイスに転送する処理や、ＰＣを利用した商品購入処理などを行うことが可能である。このような処理を実行する場合はＩＣかーどのＩＤやＰＣのＩＤが、先に図２〜図４を参照して説明したと同様、各ユーザデバイス間で転送される。
【００９１】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。例えば、ユーザデバイス間で情報を送受信する手段としてＲＦＩＤを用いた例について詳解したが、それ以外の方法として、ＩｒＤＡ（赤外線通信）、Ｂｌｕｅｔｏｏｔｈ（登録商標）、無線ＬＡＮ（ＩＥＥＥ８０２．１１）などを採用しても良い。
【００９２】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【００９３】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９４】
以上、説明したように、本発明の一実施例の構成によれば、複数のユーザデバイス間で転送された商品広告などのコンテンツを参照して商品の購入が行われたような場合、ユーザデバイス間のコンテンツ転送時に、コンテンツの転送を行ったユーザデバイスの識別子も併せて転送してユーザデバイスのメモリに格納する構成とし、管理サーバがこれらのデバイス識別子を取得して、取得デバイス識別子によって特定されるデバイス管理者やユーザにインセンティブを配分することを可能とした。
【図面の簡単な説明】
【００９５】
【図１】本発明の一実施例に係る情報処理システムの構成および処理例について説明する図である。
【図２】本発明の一実施例に係る情報処理システムにおいて各装置、各デバイス間で転送、格納されるデータ例について説明する図である。
【図３】本発明の一実施例に係る情報処理システムにおいて各装置、各デバイス間で転送、格納されるデータ例について説明する図である。
【図４】本発明の一実施例に係る情報処理システムにおいて各装置、各デバイス間で転送、格納されるデータ例について説明する図である。
【図５】本発明の一実施例に係る情報処理システムを構成する装置の構成例について説明する図である。
【符号の説明】
【００９６】
１１１  コンテンツ提供サーバ
１１２  管理サーバ
１２１  サイネージ管理者
１２２  情報提供デバイスＡ
１３１  ウェブ／ブログ情報管理者
１３２  情報提供デバイスＢ
１４１〜１４３  ユーザデバイス
２００  情報処理装置
２０１  制御部
２０２  通信部
２０３  入力部
２０４  出力部
２０５  記憶部
【図５】
0005277715.tif 000002
【図１】
0005277715.tif 000003
【図２】
0005277715.tif 000004
【図３】
0005277715.tif 000005
【図４】
0005277715.tif 000006